(57)【特許請求の範囲】
【請求項１】
公営競技の投票券の発券及び払戻を行うトータリゼータ端末であって、
前記トータリゼータ端末は外部からの指示によりあるレースに対して選択されると、選択されたレースの投票券の発券停止から当該レースの順位確定までの期間を除いた当該レースの投票券の発券期間中にイルミネーション表示し、当該イルミネーション表示中に投票が行われた場合に、サービス券を発券することを特徴とするトータリゼータ端末。
【請求項２】
前記イルミネーション表示は、
前記トータリゼータ端末の表示/操作面に配置されたフリッカランプの点灯、点滅を、投票に伴う一連の表示における点灯、点滅の周期、順番と異なるパターンであることを特徴とする請求項１に記載のトータリゼータ端末。
【請求項３】
複数のトータリゼータ端末を監視/制御するホストであって、
前記複数のトータリゼータ端末の中から、所定のアルゴリズムによって各レースの投票券の発券停止から当該レースの順位確定までの期間を除いた各レースの投票券の発券期間中にイルミネーション表示させるトータリゼータ端末を選択し、
選択したトータリゼータ端末に対してイルミネーション表示の指示信号を出力することを特徴とするホスト。
【請求項４】
前記所定のアルゴリズムは、
乱数により無作為にイルミネーション表示させるトータリゼータ端末を選択することを特徴とする請求項３に記載のホスト。
【請求項５】
前記所定のアルゴリズムは、
トータリゼータ端末の中から投票するファンの人数の大小により、イルミネーション表示させるトータリゼータ端末を選択することを特徴とする請求項３に記載のホスト。
【請求項６】
請求項１又は２に記載のトータリゼータ端末と、請求項３〜５のいずれか１項に記載のホストと、が通信回線を介して接続されたことを特徴とするトータリゼータシステム。
【請求項７】
請求項６に記載のトータリゼータシステムにおいて、
前記ホストがレース毎にイルミネーション表示させるトータリゼータ端末を選択する第1処理と、
選択されたトータリゼータ端末が該レースの投票券の発券停止から当該レースの順位確定までの期間を除いた前記各レースの投票券の発券期間中にイルミネーション表示する第２処理と、
イルミネーション表示中のトータリゼータ端末に投票が受け付けられると、サービス券を発券する第３処理と、
を含むことを特徴とする投票券の販売促進方法。
【発明の詳細な説明】
【技術分野】
【０００１】
本発明は、公営競技（競馬/競輪/競艇/オートレース）の投票券の発券・払戻を行うトータリゼータ端末、複数のトータリゼータ端末を監視/制御するホスト、複数のトータリゼータ端末とホストとからなるトータリゼータシステム、及びトータリゼータシステムにおける投票券の販売促進方法に関する。
【背景技術】
【０００２】
トータリゼータ端末としての自動発払機の挿排出口には、媒体の挿入、排出時に点灯、点滅表示を行う操作案内のためのフリッカランプが配置されている。
【０００３】
関連する下記特許文献１には、「発売中」、「払戻中」といった内部の処理状態を表示する機能を有している自動発払機が記載されている。
【先行技術文献】
【特許文献】
【０００４】
【特許文献１】特開２０１３−９２９３９号公報
【発明の概要】
【発明が解決しようとする課題】
【０００５】
しかしながら、現行の自動発払機に設けられているフリッカランプの点灯、点滅は、投票に伴う予め定められた一連の表示動作である。そのため、ファンは、フリッカランプの点灯、点滅を操作ガイドとして受け止め、アミューズメント性及びゲーム性が低かった。
【０００６】
本発明は、フリッカランプをイルミネーション表示させ、イルミネーション表示中に、ファンが投票した場合には、サービス券を発券することで、アミューズメント性及びゲーム性を向上し、ファンサービスを通じて投票券の販売促進を図ることを目的とする。
【課題を解決するための手段】
【０００７】
本発明の第１の側面のトータリゼータ端末は、公営競技の投票券の発券及び払戻を行うトータリゼータ端末であって、前記トータリゼータ端末は外部からの指示によりあるレースに対して選択されると、選択されたレースの投票券の発券停止から当該レースの順位確定までの期間を除いた当該レースの投票券の発券期間中にイルミネーション表示し、当該イルミネーション表示中に投票が行われた場合に、サービス券を発券することを特徴とする。
【０００８】
第２の側面のホストは、複数の前記トータリゼータ端末を監視/制御するホストであって、前記複数のトータリゼータ端末の中から、所定のアルゴリズムによって各レースの投票券の発券停止から当該レースの順位確定までの期間を除いた各レースの投票券の発券期間中にイルミネーション表示させるトータリゼータ端末を選択し、選択したトータリゼータ端末に対してイルミネーション表示の指示信号を出力することを特徴とする。
【０００９】
第３の側面のトータリゼータシステムは、前記トータリゼータ端末と、前記ホストと、が通信回線を介して接続されたことを特徴とする。
【００１０】
第４の側面のトータリゼータシステムにおける投票券の販売促進方法は、前記ホストがレース毎にイルミネーション表示させるトータリゼータ端末を選択する第1処理と、選択されたトータリゼータ端末が該レースの投票券の発券停止から当該レースの順位確定までの期間を除いた前記各レースの投票券の発券期間中にレース毎にイルミネーション表示する第２処理と、イルミネーション表示中のトータリゼータ端末に投票が受け付けられると、サービス券を発券する第３処理と、を含むことを特徴とする。
【発明の効果】
【００１１】
本発明によれば、イルミネーション表示する端末として選択されたトータリゼータ端末は、イルミネーション表示すると共に、イルミネーション表示中に、ファンが投票を行うと、投票券と共にサービス券を発券するようにしている。これにより、イルミネーション表示しているトータリゼータ端末で投票をすると、イルミネーション表示していないトータリゼータ端末で投票をする場合に較べて、サービス券を受け取ることができて得であるため、トータリゼータ端末における投票券の販売促進を図ることができる。
【図面の簡単な説明】
【００１２】
【図１】本発明の実施形態のトータリゼータシステムのシステム構成図である。
【図２】図１中のトータリゼータ端末１のハードウェア構成図である。
【図３】図２のトータリゼータ端末１の外観図である。
【図４】図３のトータリゼータ端末１のフリッカランプの配置図である。
【図５】本発明の実施形態のトータリゼータシステムのフローチャートである。
【図６】本発明の実施形態のトータリゼータシステムのタイムチャートである。
【発明を実施するための形態】
【００１３】
以下に本発明の実施形態について図面を参照しながら詳細に説明する。
（実施形態の構成）
図１は、本発明の実施形態のトータリゼータシステムのシステム構成図である。
【００１４】
トータリゼータシステムは、複数のトータリゼータ端末１（＝１−１、１−２、・・・、１−ｎ）と、複数のトータリゼータ端末１を監視・制御するホスト２と、を有している。複数のトータリゼータ端末１とホスト２とが通信回線３を介して相互に通信可能に接続されている。通信回線３は、専用回線であっても、インターネット等の公衆回線であってもよい。
【００１５】
トータリゼータ端末１は、例えば、自動発払機であり、公営競技（競馬/競輪/競艇/オートレース）の投票券の発券・払戻を自動で行う端末機である。ホスト２は、複数のトータリゼータ端末１を監視・制御する装置であり、制御部２０と通信インタフェース（以下「Ｉ／Ｆ」という。）２１と、を有している。
【００１６】
図２は、図１中のトータリゼータ端末１のハードウェア構成図である。
トータリゼータ端末１は、全体の制御を行う制御部１０と、投入された投票券の読取を行う投票券読取ユニット１１と、投票カードを読み取る投票カード読取ユニット１２と、ファンが投入した硬貨を還流して釣銭として用いる貨幣還流ユニット１３と、ファンが投入した紙幣を還流して釣紙幣として用いる紙幣還流ユニット１４と、操作ガイド等を表示してファンの操作を受け付ける表示・操作パネル１５と、投票券を発券する発券ユニット１６と、ファンへ告知する情報を表示し、ファンの操作を受け付ける客側ＬＣＤ／タッチパネルユニット１７と、主催者への情報を表示すると共にオペレータの操作を受け付けるオペ側ＬＣＤ／タッチパネルユニット１８と、ホスト２との通信Ｉ／Ｆ１９と、を有し、各々が内部バスにより接続されている。
【００１７】
図３は、図２のトータリゼータ端末１の外観図である。
図３に基づいて、トータリゼータ端末１としての自動発払機のマンインターフェースについて説明する。
【００１８】
トータリゼータ端末１の前面右上部分には、投票券の読み取りを行う投票券読取ユニット１１が配置されている。投票券読取ユニット１１は、投票券の読み取りを行う。読み取った投票券が不的中券であればファンへ返却する。
【００１９】
投票券読取ユニット１１の下部には、投票内容を記入した投票カードの読み取りを行う投票カード読取ユニット１２が配置されている。投票カード読取ユニット１２は、投票カード内容の読取を行う。
【００２０】
投票カード読取ユニット１２の下部には、硬貨還流ユニット１３ａ，１３ｂが配置されている。硬貨還流ユニット１３には、硬貨を投入する硬貨投入口１３ａと、投票時のおつり、払戻時の硬貨を返却する硬貨返却口１３ｂが設けられている。硬貨還流ユニット１３ａ，１３ｂの左には、紙幣還流ユニット１４が配置されている。
【００２１】
投票券読取ユニット１１の左には、精算スイッチ１５ａ、払戻表示器１５ｂ、発売表示器１５ｃ、係員呼出スイッチ１５ｄが配置されている。精算スイッチ１５ａは、投票券の購入及び払戻の精算を行うためのスイッチである。払戻表示器１５ｂは、払戻中は「払戻中」の表示を、払戻停止中は「払戻停止」の表示を行うものであり、発売表示器１５ｃは、発売中は「発売中」の表示を、発売停止中は「発売停止」の表示をするものである。係員呼出スイッチ１５ｄは、何らかの不具合発生時に係員を呼び出す際に使用するスイッチである。精算スイッチ１５ａ、二面表示器１５ｂ，１５ｃ、及び係員呼出スイッチ１５ｄにより、図２中の表示・操作パネル１５が構成されている。表示・操作パネル１５の下部には、投票券を発券する発券ユニット１６が配置されている。
【００２２】
発券ユニット１６の下部には、客側ＬＣＤ／タッチパネル１７が配置されている。客側ＬＣＤ／タッチパネル１７は、発売レース、投入金額などを案内する投票カード誤記入内容の修正を行うものである。誤記の内容によっては、投票カード読取ユニット１２によって投票カードが返却される。
【００２３】
更に、装置の背面側には、主催者側のオペレータが端末の操作を行う際に使用するオペ側ＬＣＤ１８が配設されている。
【００２４】
（実施形態の動作）
本発明の実施形態のトータリゼータシステムの動作について、（Ｉ）トータリゼータ端末１のフリッカランプの動作と、（II）トータリゼータシステムの処理の流れと、（III） トータリゼータシステムの時間的推移と、に分けて説明する。
【００２５】
（Ｉ）トータリゼータ端末１のフリッカランプの動作
図４は、図３のトータリゼータ端末１のフリッカランプの配置図である。
図４に基づいて、待受中、紙幣／硬貨／的中券投入時、及び投票カード挿入／発券時のフリッカランプの動作について説明する。
【００２６】
先ず、待機中は、紙幣還流ユニット１４の下部に配置されている紙幣出口フリッカランプ１４ａが緑色点灯すると共に、紙幣還流ユニット１４の左に位置する紙幣縦流フリッカランプ１４ｂが下から上に向かって順番に緑色点灯し、全て点灯した後に、下から上に順番に消灯する。更に、投票券読取ユニット１１の下部の投票券挿入口のフリッカランプ１１ａが青色点灯する。
【００２７】
又、紙幣／硬貨／的中券投入時は、待受中のフリッカランプの点灯、点滅動作に加え、精算スイッチ１５ａに埋め込まれたフリッカランプが緑色点灯すると共に、投票カード読取ユニット１２の下部に配置された投票カード挿入口１２ａに配置されたフリッカランプが緑色点灯する。
【００２８】
又、投票カード挿入／発券時は、発券ユニット１６の上部に配置された発券出口フリッカランプ１６ａがオレンジ点滅すると共に、発券ユニット１６の左に配置された発券縦流フリッカランプ１６ｂが上から下に向かって順番にオレンジ点灯して行き、すべてが点灯した後、１回点滅し、再び点灯動作を繰り返す。
【００２９】
払戻金、返却紙幣がある場合、紙幣ユニット１４の上部の紙幣出口フリッカランプ１４ｃは、オレンジ点滅する。紙幣ユニット１４の左に配置された紙幣縦流フリッカ１４ｂが上から下に向かって順番にオレンジ点灯して行き、すべて点灯した後、１回点滅、消灯し、再度点灯動作を繰り返す。
【００３０】
払戻金、返却硬貨がある場合、硬貨還流ユニット１３の上部に配置された硬貨出力フリッカランプ１３ｃがオレンジ点滅する。
【００３１】
紙幣、硬貨、的中投票券等の媒体をすべて抜き取ると、フリッカランプは消灯し、待受中のフリッカランプの点灯、点滅の動作に戻る。
【００３２】
投票カードの記入不備で返却があった場合は、投票カード読取ユニット１２の上部に配置された投票カード出口１２ｂのフリッカランプがオレンジ点灯する。
【００３３】
投票券が不的中で返却があった場合、投票券出口１１ｂのフリッカランプがオレンジ点灯する。
【００３４】
（II）トータリゼータシステムの処理の流れ
図５は、本発明の実施形態のトータリゼータシステムのフローチャートである。
図１〜図４を参照しつつ、図５に示されたフローチャートに沿って、本発明の実施形態のトータリゼータシステムの処理の流れを説明する。
【００３５】
処理が開始されると、ステップＳ１へ進み、ステップＳ１において、ホスト２は、トータリゼータシステムを構成するトータリゼータ端末１が選択し、ステップＳ２へ進む。ホスト２により選択されるトータリゼータ端末１の台数は１台に限定されない。又、トータリゼータ端末１を選択するアルゴリズムとしては、アミューズメント性及びゲーム性を高めるために、乱数発生器により無作為に選択してもよいし、投票券の売れ行きが思わしくないトータリゼータ端末から選択するようにしてもよい。
【００３６】
ステップＳ２において、ホスト２の制御部２０は、選択したトータリゼータ端末１がイルミネーション表示中に投票が行われた場合に発券するサービス券の内容を設定し、ステップＳ３へ進む。ここで、サービス券の内容としては、例えば、現在、投票券発売中のレースの２レース後のレースの投票券を購入時に限って現金の代わりに用いることができるサービス券等が想定される。
【００３７】
ステップＳ３において、ホスト２の制御部２０は、通信Ｉ／Ｆ２１を介して、ステップＳ１で選択したトータリゼータ端末１に対してフリッカ点灯指示の信号を出力し、ステップＳ４へ進む。
【００３８】
ステップＳ４において、トータリゼータ端末１の制御部１０は、イルミネーション表示としてのフリッカを点灯し、ステップＳ５へ進む。ここで、イルミネーション表示としてのフリッカの点灯は、例えば、トータリゼータ端末１の前面パネル上に配置されたフリッカランプを一定間隔で、全点灯、全消灯する等の表示が考えられる。イルミネーション表示は、トータリゼータ端末１の表示/操作面に配置されたフリッカランプの投票に伴う一連の表示動作と異なる表示であればよい。即ち、イルミネーション表示は、点灯、点滅を、通常の表示動作である待機中、紙幣／硬貨投入／的中投票券の投入時、及び投票カード挿入／発券時における点灯、点滅の周期、順番と異なるパターンであり、ファンに通常を異なる動作であること知らせる表示動作であればよい。
【００３９】
ステップＳ５において、トータリゼータ端末１は、設定時間経過又は投票締切までの間、投票が行われたか否かを判定し、投票有りの場合は、ステップＳ６へ進み、投票無しの場合はステップＳ８へ進む。ステップＳ６において、トータリゼータ端末１は、投票券と共にステップＳ２で設定された内容のサービス券を発券し、ステップＳ７へ進む。
【００４０】
ステップＳ７において、ホスト２は、サービス券の発券回数の残りがあるか否かを判定し、有りの場合は、ステップＳ５へ戻り、判定が無しとなるまでステップＳ５〜Ｓ７の処理を繰り返し、判定が無しとなると、ステップＳ８へ進む。
【００４１】
ステップＳ８において、ホスト２は、ステップＳ１で選択したトータリゼータ端末１に対して、フリッカ消灯指示を出力し、ステップＳ９へ進む。
【００４２】
ステップＳ９において、トータリゼータ端末１の制御部１０は、イルミネーション表示としてのフリッカを消灯し、処理を終了する。
【００４３】
図５に示されたフローチャートでは、ホスト２とトータリゼータ端末１とが協働して、トータリゼータシステムにおける投票券の販売を促進する処理を説明した。トータリゼータシステムにおける投票券の販売を促進する処理は、図５に示された処理に限定されるものではなく、例えば、トータリゼータ端末１の背面に配置されたオペ側ＬＣＤ／タッチパネル１８をオペレータが操作して、サービス券の内容を設定し、フリッカ点灯指示、及びフリッカ消灯指示を行うようにしてもよい。
【００４４】
また、投票が行われたか否かの判定は、ファンが投票券の購入を行い、取引が成立した場合であることが望ましい。このようにすることで、サービス券はトータリゼータ端末で投票券を購入したファンに対して確実に発券されることとなる。
【００４５】
更に、図５に示されたフローチャートにおけるステップＳ５において、トータリゼータ端末１は、設定時間経過までの投票の有無を判定するものとし、ステップＳ９のフリッカ消灯後に、投票締切時刻か否かを判定する処理を追加し、投票締切時刻前であれば、ステップＳ１に戻り、投票締切時刻が経過するまで、ステップＳ１〜Ｓ９の処理を繰り返すようにしてもよい。このようにすれば、投票締切までの間に、複数のトータリゼータ端末１がイルミネーション表示することになり、ファンは、イルミネーション表示しているトータリゼータ端末１で投票することにより、サービス券の発券を受けることができるので、アミューズメント性及びゲーム性が向上し、ファンへのサービス向上により、投票券の販売を促進することができる。
【００４６】
（III） トータリゼータシステムの時間的推移
図６は、本発明の実施形態のトータリゼータシステムのタイムチャートである。
図６に基づいて、本発明の実施形態のトータリゼータシステムにおけるホスト２と、トータリゼータ端末１−１、１−２のシーケンス例を時間の経過に沿って説明する。
【００４７】
時刻ｔ１に、第１レースの投票券の発売が開始されると、時刻ｔ２に、ホスト２は、イルミネーション表示させる端末として、トータリゼータ端末１−１を選択している。トータリゼータ端末１−１は、時刻ｔ２から第１レースの投票券の発売締切時刻ｔ５まで、イルミネーション表示を行う。この時刻ｔ２〜ｔ５の間の時刻ｔ３に、ファンが投票を行うと、トータリゼータ端末１−１は、投票券と共にサービス券を発券する。尚、トータリゼータ端末１−１は、第１レースの投票券の発売締切時刻ｔ５から第１レースの結果確定時刻ｔ６までの期間はイルミネーション表示を消灯する。
【００４８】
一方、ホスト２から選択されていないトータリゼータ端末１−２は、時刻ｔ２〜ｔ５の間の時刻ｔ４に、ファンが投票を行っているが、投票券を発券するのみで、サービス券は発券しない。
【００４９】
時刻ｔ７に、第２レースの投票券の発売が開始されると、時刻ｔ８に、ホスト２は、イルミネーション表示させる端末として、トータリゼータ端末１−２を選択している。トータリゼータ端末１−２は、時刻ｔ８から第２レースの投票券の発売締切時刻ｔ１１まで、イルミネーション表示を行う。この時刻ｔ８〜ｔ１１の間の時刻ｔ１０に、ファンが投票を行うと、トータリゼータ端末１−２は、投票券と共にサービス券を発券する。一方、選択されなかったトータリゼータ端末１−１は、時刻ｔ８〜ｔ１１の間の時刻ｔ９に、ファンが投票を行っているが、投票券を発券するのみで、サービス券は発券しない。
【００５０】
以上、本発明の実施形態について説明したが、本発明は、以上に述べた実施形態に限定されるものではなく、本発明の要旨を逸脱しない範囲内で種々の構成又は実施形態を取ることができる。
【符号の説明】
【００５１】
１，１−１，１−２，・・・，１−ｎ    トータリゼータ端末
２                                    ホスト
３                                    通信回線
１０，２０                              制御部
１１                                    投票券読取ユニット
１１ａ                                  投票券挿入口
１１ｂ                                  投票券出口
１２                                    投票カード読取ユニット
１２ａ                                  投票カード挿入口
１２ｂ                                  投票カード出口
１３                                    硬貨還流ユニット
１３ａ                                  硬貨投入口
１３ｂ                                  硬貨返却口
１３ｃ                                  硬貨出口フリッカランプ
１４                                    紙幣還流ユニット
１４ａ，１４ｃ                          紙幣出口フリッカランプ
１４ｂ                                  紙幣縦流フリッカランプ
１５                                    表示・操作パネル
１５ａ                                  精算スイッチ
１５ｂ                                  払戻中表示器
１５ｃ                                  発売中表示器
１５ｄ                                  係員呼出スイッチ
１６                                    発券ユニット
１７                                    客側ＬＣＤ／タッチパネル
１８                                    オペ側ＬＣＤ／タッチパネル
１９，２１                              通信Ｉ／Ｆ
【図１】
0006053037.tif 000002
【図２】
0006053037.tif 000003
【図３】
0006053037.tif 000004
【図５】
0006053037.tif 000005
【図６】
0006053037.tif 000006
【図４】
0006053037.tif 000007